(57)【要約】【解決課題】バスト寄せ効果を高めるなどして、女性用衣料の補整効果を十分発揮することが可能な人体骨格に有機的に対応する女性用衣料を提供することを課題とする。【解決手段】人体骨格に有機的に対応する身頃体を備えた女性用衣料において、前記身頃体は、人体骨格の一部の断面形状を全周にわたって覆うように構成され、当該身頃体には、人体骨格の前面又は背面の少なくとも一方に、人体骨格の側面部側から中央部に向けて引き寄せる力を作用させる引き寄せ力作用部を設けるように構成して課題を解決した。【選択図】　図１
2004115947.tif 000002
【特許請求の範囲】
【請求項１】
人体骨格に有機的に対応する身頃体を備えた女性用衣料において、前記身頃体は、人体骨格の一部の断面形状を全周にわたって覆うように構成され、当該身頃体には、人体骨格の前面又は背面の少なくとも一方に、人体骨格の側面部側から中央部に向けて引き寄せる力を作用させる引き寄せ力作用部を設けたことを特徴とする人体骨格に有機的に対応する女性用衣料。
【請求項２】
少なくとも人体骨格の体側部を支持するフレーム体を備え、当該フレーム体を伸縮性を有する身頃体によって人体骨格の中央部に向けて引き寄せるように構成したことを特徴とする請求項ｌ記載の人体骨格に有機的に対応する女性用衣料。
【請求項３】
人体骨格の体側部及びバストの体側部を一体的に支持するフレーム体を備え、当該フレーム体を伸縮性を有する身頃体によって人体骨格の中央部に向けて引き奇せるように構成したことを特徴とする請求項ｌ記載の人体骨格に有機的に対応する女性用衣料。
【請求項４】
前記フレーム体と身頃体は、互いに別体として構成されていることを特徴とする請求項２又は３に記載の人体骨格に有機的に対応する女性用衣料。
【請求項５】
前記フレーム体と身頃体は、二重に構成されていることを特徴とする請求項２又は３に記載の人体骨格に有機的に対応する女性用衣料。
【請求項６】
前記フレーム体と身頃体は、一体に構成されていることを特徴とする請求項２又は３に記載の人体骨格に有機的に対応する女性用衣料。
【発明の詳細な説明】
【０００１】
【発明の属する技術分野】
この発明は、人体骨格に有機的に対応する身頃体を備えたブラジャー、水着、ボディスーツ、ガードル等の女性用衣料に関する。
【０００２】
【従来の技術】
従来、この種のブラジャー、水着、ボディスーツ、ガードル等の女性用衣料は、バスト収容部であるバストカップ体及びバスト以外の人体胸部に当接される身頃体からなり、前記バストカップ体は布体あるいはモールド成形により略バスト形状に対応した椀形形状に形成され、該バストカップ体の周縁部が布体あるいはモールド成形により形成された前記身頃体との対応接合周縁部において縫合あるいは接合されて一体に構成されている。
【０００３】
しかしながら、図１７に示したように身頃体１１１は通常はほぼ平板状に形成されるか、僅か湾曲されて形成されているにすぎない。したがって、該身頃体１１１に縫合あるいは接合されるバストカップ体１１２の周縁部１１３もほぼ平板状に形成されるか、僅か湾曲されて形成されているにすぎない。したがって、このような従来の平面的なトップを着用すると、図１８に示したように、バストカップ体１１２の頂部Ｔが外側に開いてしまう他、人体骨格Ｂｌの曲面に対応できない部分ＢＴ（斜線内）がバストカップ体１１２の全体の形状を歪めることになる。特に、前記身頃体１１１が布体によって構成されている場合には、トップの着用によってバスト寄せやバストアップ効果等は殆ど期待できないため、それらのために種々の複雑な構造の対策が講じられている。また通常、前記バスト寄せやバストアップ効果を補完するためにバストカップ体１１２の保形及び整容を目的として、バスト補正のためのワイヤーボーンも多用されている。
【０００４】
このため、このような従来構成の女性用衣料においては、図１８（Ａ）の一点鎖線のように着用前のバストカップ体１１２の位置を人体のバスト（太点線）Ｂ２より僅かからだの中央を向いた形状に形成することによって、トップ着用時のバスト寄せ効果を得るようにしていた。ところが、通常はほぼ平板状に形成されるか、僅か湾曲されて形成されているにすぎない身頃体１１１を着用者の人体骨格の胸部断面形状Ｂ１に沿って装着していくことによって、着用後には前記バストカップ体１１２は幾分外側を向いてしまい、バスト寄せ効果を損なう結果を招いていた。
【０００５】
そこで、本出願人は、上記の間題点を解決するものとして、着用後における確実なバスト奇せ効果が得られる簡素な構成の人体骨格に有機的に対応するバストカップ体及びそのボディ構造を、既に提案している（特許第２６１９２２９号）。
【０００６】
この特許第２６１９２２９号に係る人体骨格に有機的に対応するバストカップ体及びそのボディ構造は、人体骨格に有機的に対応するバストカップ体および身頃体からなるブラジャー等トップの乳房中心下辺近傍のボディ構造において、前記身頃体の人体骨格に沿う着用前の断面形状を着用者の人体骨格の胸部断面形状より僅かにその曲率を大きく形成したものである。
【０００７】
【発明が解決しようとする課題】
しかしながら、上記従来技術の場合には、次のような間題点を有している。すなわち、上記特許第２６１９２２９号に係る人体骨格に有機的に対応するバストカップ体及びそのボディ構造は、身頃体の人体骨格に沿う着用前の断面形状を着用者の人体骨格の胸部断面形状より僅かにその曲率を大きく形成することにより、着用前に人体骨格の胸部断面形状より僅かにその曲率を大きく形成された断面形状の身頃体を人体骨格の胸部断面形状に沿って着用すると、前記身頃体は人体の前胸部中間点を中心にして拡開し、やや剛性のある前記身頃体によって該身頃体に縫合あるいは接合されたバストカップ体を体の中央を向いた方向に傾動させることができ、バスト寄せ効果がある程度得られるものであった。
【０００８】
しかし、上記特許第２６１９２２９号に係る人体骨格に有機的に対応するバストカップ体及ぴそのボディ構造の場合には、身頃体の人体骨格に治う着用前の断面形状を着用者の人体骨格の胸部断面形状より僅かにその曲率を大きく形成したものであるが、着用者の人体骨格の体側部を、人体骨格の前中心部に引き寄せる能力に欠け、ある程度豊かなバストを寄せる効果が得られるものの、バスト寄せ効果を高めるなどして、女性用衣料の補整効果を十分発揮することはできないという間題点を有していた。
【０００９】
そこで、この発明は、上記従来技術の間題点を解決するためになされたもので、その目的とするところは、バスト寄せ効果を高めるなどして、女性用衣料の補整効果を十分発揮することが可能な人体骨格に有機的に対応する女性用衣料を提供することにある。
【００１０】
【課題を解決するための手段】
上記課題を解決するために、請求項ｌに記載された発明は、人体骨格に有機的に対応する身頃体を備えた女性用衣料において、前記身頃体は、人体骨格の一部の断面形状を全周にわたって覆うように構成され、当該身頃体には、人体骨格の前面又は背面の少なくとも一方に、人体骨格の側面部側から中央部に向けて引き寄せる力を作用させる引き寄せ力作用部を設けたことを特徴とする人体骨格に有機的に対応する女性用衣料である。
【００１１】
また、請求項２に記載された発明は、少なくとも人体骨格の体側部を支持するフレーム体を備え、当該フレーム体を伸縮性を有する身頃体によって人体骨格の中央部に向けて引き寄せるように構成したことを特徴とする請求項ｌ記載の人体骨格に有機的に対応する女性用衣料である。
【００１２】
さらに、請求項３に記載された発明は、人体骨格の体側部及びバストの体側部を一体的に支持するフレーム体を備え、当該フレーム体を伸縮性を有する身頃体によって人体骨格の中央部に向けて引き寄せるように構成したことを特徴とする請求項ｌ記載の人体骨格に有機的に対応する女性用衣料である。
【００１３】
又、請求項４に記載された発明は、前記フレーム体と身頃体は、互いに別体として構成されていることを特徴とする請求項２又は３に記載の人体骨格に有機的に対応する女性用衣料である。
【００１４】
更に、請求項５に記載された発明は、前記フレーム体と身頃体は、二重に構成されていることを特徴とする請求項２又は３に記載の人体骨格に有機的に対応する女性用衣料である。
【００１５】
また、請求項６に記載された発明は、前記フレーム体と身頃体は、一体に構成されていることを特徴とする請求項２又は３に記載の人体骨格に有機的に対応する女性用衣料である。
【００１６】
【発明の実施の形態】
以下に、この発明の実施の形態について図面を参照して説明する。
【００１７】
実施の形態ｌ
図ｌはこの発明の実施の形態Ｉに係る人体骨格に有機的に対応する女性用衣料としてのブラジャーを示すものである。
【００１８】
図１において、ｌは女性用衣料としてのブラジャーを示すものであり、このブラジャーｌは、女性の左右のバストをそれぞれ覆う左右のバストカップ部２、３を備えている。これらの左右のバストカップ部２、３は、当該左右のバストカップ部２、３の下方から側方にわたって設けられる身頃体４と一体的に縫着されている。上記ブラジャーｌは、身頃体４の背面側に位置する両端部を、フックやアイ等の係止具によって連結することにより、当該身頃体４は、人体骨格５の全周を覆うように円筒形状に形成されている。この身頃体４は、人体骨格５の全周にわたるｌ枚の帯状布片で構成してもよいし、左右のバストカップ部２、３の下部にそれぞれ位置する左右の身頃体と、これら左右の身頃体に体側部でそれぞれ縫着されて背面側に位置する身頃体とから構成しても、あるいは左右のバストカップ部２、３の中央部の下方に位置する身頃体と、左右のバストカップ部２、３の下部から体側側にそれぞれ位置する左右の身頃体と、これら左右の身頃体に体側部でそれぞれ縫着されて背面側に位置する身頃体など、複数枚の身頃体から構成してもよい。なお、上記身頃体４は、その背面側を構成する素材に伸縮性を持たせるとともに、当該身頃体４を円筒状に形成することによって、フックやアイ等からなる係止具を使用しないように構成しても良い。図１中、６、７は左右の肩にかけるストラップを示すものである。
【００１９】
上記左右のバストカップ部２、３は、発泡ウレタン等の軟質樹脂によってモールド成形等により、所定のカップ形状に一体的に構成しても良いし、当該バストカップ部２、３の表面側を構成する素材と、当該カップ部２、３の裏面側を構成する素材とから構成してもよい。なお、上記左右のバストカップ部２、３は、当該カップ部２、３の表面側を構成する素材と、当該カップ部２、３の裏面側を構成する素材と、これら表面側を構成する素材７と裏面側を構成する素材８との間に介在された乳房パッドとから構成しても勿論よい。
【００２０】
なお、本発明に係るブラジャーｌの左右のバストカップ部２、３を、人体（バストトップ上方）前上方からの鳥瞰した場合、身頃とカップ部の接合部の二本針ミシンによる縫い目（二本線）は、バスト体側部では、図１９に示すように、間隔を狭め、二本線と確認できなくなるようにバストカップ部２、３が湾曲しているものである。
【００２１】
ところで、この実施の形態では、人体骨格に有機的に対応する身頃体を備えた女性用衣料において、前記身頃体は、人体骨格の一部の断面形状を全周にわたって覆うように構成され、当該身頃体には、人体骨格の前面又は背面の少なくとも一方に、人体骨格の側面部側から中央部に向けて引き寄せる力を作用させる引き寄せ力作用部を設けるように構成したものである。
【００２２】
また、この実施の形態では、人体骨格の体側部及びバストの体側部を一体的に支持するフレーム体を備え、当該フレーム体を伸縮性を有する身頃体によって人体骨格の中央部に向けて引き寄せるように構成したものである。
【００２３】
すなわち、上記ブラジャーｌは、図３に示すように、女性の人体骨格の胸部断面形状の体側部、及びバストの体側部を支持する断面コ字形状の左右のフレーム体１１、１２を備えている。これらのフレーム体１１、１２は、図３に示すように、プラスチック系樹脂の成形体や発泡ウレタン等の発泡樹脂の成形体などによって形成されており、図６に示すように、女性の胸部断面形状１３の体側部１４から、バストＢの体側部側の側面１５の途中まで、及びバストＢの下方に位置する胸部断面形状１３の一部１６までを覆うように構成されている。上記フレーム体１１、１２は、例えば、図３に示すように、人体骨格５の体側部１４に位置する部分が、その体側部１４の前面側１１ａ、１２ａから背面側１１ｂ、１２ｂにわたって、胸部断面形状１３に合致した形状に形成されている。また、上記フレーム体１１、１２のバストＢの体側部側の側面１５に位置する部分１１ｃ、１２ｃは、人体骨格５のバストＢの断面形状よりも、バストＢを内側に寄せるように、人体骨格５の曲率よりも大きな曲率（急なカーブ）となるように形成されている。また、上記フレーム体１１、１２を形成する素材として、発泡ウレタン等の発泡樹脂の成形体を使用する場合には、連続気泡の発泡体を基本とし、通気性に富むが独立気泡の場合は、物理的に小穴を多数開けるように構成してもよい。
【００２４】
なお、図３はこの実施の形態に係るブラジャー１を着用した状態を示すものであり、着用前の状態においては、図２０（ａ）に示すように、ブラジャー体１に腕下側部を構成するフレーム体１１、１２を縫止（合成）したものである。
【００２５】
また、本発明は、図２０（ｂ）に示すように、ブラジャー体１の下に当該ブラジャー体１と略相似形状で、一回り小さく形成したフレーム体１１’を合成乃至一部縫止め等したものでも、図２０（ｃ）に示すように、ブラジャー体１の裏面にフレーム体１１”（全体を構成する）を合成したものでもよい。
【００２６】
さらに、本発明のフレーム体は、図６（ａ）に示す人体断面に対して、図６（ｂ）に示すように、フレーム体が着用時に対応し、図３に示す様にバストＢをサイドから人体中心部に引き寄せる作用が働き、図６（ｃ）では少し誇張されているが、結果として得られるシルエットを明示する図である。
【００２７】
さらに、上記フレーム体１１、１２としては、図５に示すように、複数（例えば、３〜４）段階のパワー（強度）構成、又は厚手構成、又はストレッチ（伸縮）構成のいずれかｌつ以上の組み合わせとし、芯地等の複重合体及び成形体によって構成してもよい。この場合、上記フレーム体１１、１２としては、図５に示すように、女性の胸部断面形状１３の体側部１４から、バストＢの体側部側に掛けての全体を、パワーやストレッチが弱いか、又は薄手の素材１７で覆い、次に、その内側の女性の胸部断面形状の体側部から、バストの体側部側に掛けての全体を、パワーやストレッチがやや弱いか、又はやや薄手の素材１８で覆い、更に女性の胸部断面形状の体側部の部分と、バストの体側部の部分とを、パワーやストレッチが強いか、又は厚手の素材１９、２０で覆うように構成してもよい。なお、上記フレーム体１１、１２の表裏両面は、複数の素材片を一体的に縫合または接合する布片２１によって被覆されている。その際、上記フレーム体１１、１２を構成する複数の素材は、パワーやストレッチが強いか、又は厚手の素材が、内面側にくるように積層配置されるが、逆の順に積層配置してもよい。
【００２８】
また、この実施の形態では、図３に示すように、上記身頃体４のうち、人体骨格の前面側４ａ及び背面側４ｂに位置する部分を、パワーネット等のストレッチ性の素材によって形成することにより、当該ストレッチ性素材からなる身頃体４の部分４ａ、４ｂが、人体骨格を側面部側から中央部に向けて引き寄せる力を作用させる引き寄せ力作用部を構成するようになっている。
【００２９】
さらに、上記左右のバストカップ部２、３の下端縁に治ってワイヤーボーン２２を配設する場合には、図７（ａ）に示すように、着用前のワイヤーボーン２２の正面から見た形状が、バストＢの申央部寄りの端部側２２ａと、バストの体側部寄りの端部側２２ｂの曲率が、着用者のバストＢの曲率よりも若干大きくなる（カープが急になる）ように設定し、着用時に、ワイヤーボーン２２のバストＢの中央部寄りの端部側２２ａと、体側部寄りの端部側２２ｂとが、着用者のバストＢに対応して拡開することにより、当該ワイヤーボーン２２の弾性復元カによって、バストＢを中央部に寄せる効果を発揮するように構成されている。
【００３０】
また更に、上記ワイヤーボーン２２として、図７（ｂ）に示すように、左右のワイヤーボーンを一体的に連結したＷ字形状のワイヤーボーン２３を使用することにより、フレーム体ｌ１、１２の内方化を助け、バストＢを引き寄せる効果を一層発揮させることができる。その際、上記Ｗ字形状のワイヤーボーン２３は、中央部の両側に位置するボーン間の伸張率を高める、つまり、左右のボーンが離間した際の復元力を高くすることにより、バストＢを引き寄せる効果を効率よく発揮させることができる。
【００３１】
また、上記のようなワイヤーボーン２２、２３を使用する代わりに、図７（ｃ）に示すように、左右のバストカップ部２、３を、身頃体４の内面側に配置された超伸度のエラスチック素材２４で互いに連結することにより、バスト寄せ効果を発揮させるように構成してもよい。なお、この超伸度のエラスチック組成を、図７（ａ）に示すようなワイヤーボーン２２と合成して組み合わせることにより、更にバスト寄せ効果を高めることができる。
【００３２】
このように、上記実施の形態に係るブラジャーｌでは、図ｌ及び図３に示すように、人体骨格５の体側部１４及びバストＢの体側部１５を一体的に支持するフレーム体１１、１２を備え、当該フレーム体ｌｌ、１２を伸縮性を有する身頃体４によって人体骨格５の中央部に向けて引き寄せるように構成したので、フレーム体１１、１２によって人体骨格５の体側部１４及びバストＢの体側部１５を一体的に支持した状態で、図６（ａ）（ｂ）に示すように、このフレーム体１１、１２によって人体骨格５の体側部１４及びバストＢの体側部１５を中央部に向けて引き寄せることができ、バスト寄せ効果を十分発揮させることができる。
【００３３】
また、上記ブラジャーｌの左右のバストカップ部２、３の下端縁にワイヤーボーン２２を設けた場合には、図７に示すように、着用前のワイヤーボーン２２の正面から見た形状が、バストＢの中央部寄りの端部側２２ａと、バストＢの体側部寄りの端部側２２ｂの曲率が、着用者のバストＢの曲率よりも若干大きくなる（カーブが急になる）ように設定し、看用時に、ワイヤーボーン２２のバストＢの中央部寄りの端部側２２ａと、体損側部寄りの端部側２２ｂとが、着用者のバストＢに対応して拡開することにより、当該ワイヤーボーン２２の弾性復元力によって、バストを申央部に寄せる効果を一層効果的に発揮することができる。
【００３４】
なお、図３に示すように、左右のフレーム体ｌｌ、１２を人体骨格５の体側部１４及びバストＢの体側部１５を一体的に支持するように、バストＢの側面部ｌ６を除いて、人体骨格５のサイズに合わせて形成するのではなく、人体骨格５の体損側部１４及びバストＢの体側部１５を一体的に支持する左右のフレーム体ｌ１、１２を、図８（ａ）に示すように、人体骨格５のサイズよりも中心寄りに圧縮したパターンに形成し、これら左右のフレーム体１１、１２を、伸縮性を有するか、あるいは伸縮性を殆ど有しない身頃体４によって一体的に連結することによって、人体骨格５の前面又は背面の少なくとも一方に、人体骨格５の側面部側から中央部に向けて引き寄せる力を作用させる引き寄せ力作用部を設けるように構成しても良い。
【００３５】
なお、図８（ｂ）（ｃ）はフレーム体を製品本体に合成し且つ図８（ａ）にて示すように、ブラジャー構成上、バスト左右の間隔は殆ど無いために目的とするバストを中央に寄せるための機能の付加は、バスト構成部まで入れてデザインをしない限り困難であることから、バストカップに延設されたバスト下部身頃を更に延設し、左右のバストを含む身頃を交差させることにより、機能を高めるテクニックを示すものである。
【００３６】
よって、本発明では、当該フレーム体を構成するブラジャー体は、独立（単独）でブラジャーに順ずる全体を構成するもの、他の市販品又はこの意図で作成されたブラジャーのインナー体（ブラの内側に着用）として使用するもの、又はこの準独立体をこの意図をもってデザインされたブラジャーに一部縫い止め（重合）したもの、木保とするアームピット部（腕下部）を構成するフロント（準独立体）をこのデザイン意図でデザインされたブラに、一部縫い止め構成するもの、本来のフレーム体部分をこの意図でデザインされたブラに一部又は一体的に縫い止めしたもの、さらにはこの意図でブラと一体でデザインするものなどとして製品化が可能である。
【００３７】
更に説明すると、図８（ｂ）においては、左右のカップ部を含む身頃を、図２１に示すように交差させるように構成し、図２１（ｂ）のＤに対応する図２１（ａ）のＤ’を、対応するＤよりも短く形成するとともに、図２１（ａ）のＣに対応する図２１（Ｂ）のＣ’を、対応するＣよりも短く形成するように構成し、これらの左右のカップ部を含む身頃を、図２１（ｃ）に示すように縫合して構成したものである。
【００３８】
また、図３に示すように、身頃体４のうち、人体骨格の前面側４ａ及び背面側４ｂに位置する部分を、パワーネット等のストレッチ性の素材によって形成すると、中央部に引き寄せ力が集まり、左右のバストＢの引き寄せ効果が低下する虞れがある場合には、図８（ｂ）に示すように、左右のバストカップ部２、３を、当該左右のバストカップ部２、３に隣接する左右の前身頃体２５ａ、２５ｂによって、左右両端部側に引張るように構成しても良い。なお、この場合でも、左右のフレーム体ｌｌ、１２は、パワーネット等のストレッチ性の素材によって形成される身頃体４の人体骨格５の前面側４ａ及び背面側４ｂにより、中央部に引き寄せるように構成しても勿論よい。
【００３９】
さらに、この場合には、図８（ｃ）に示すように、上記身頃体のうち、左右の前身頃体２５ａ、２５ｂを、高い伸張度の素材によって形成するとともに、人体骨格５の体側部に位置する身頃体２６を、低い伸張度の素材によって形成するのが望ましい。
【００４０】
実施の形態２
図９はこの発明の実施の形態２を示すものであり、前記実施の形態ｌと同一の部分には同一の符号を付して説明すると、この実施の形態２では、フレーム体を構成する素材の一部を、他の部分に対して相対的に厚肉に形成し、当該厚肉に形成された素材の加熱加圧処理時の圧縮率を高めることにより、フレーム体の一部の素材特性を他の部分と異ならせるように構成されている。
【００４１】
すなわち、上記フレーム体１１、１２は、図９に示すように、バストＢをリフト並びに支え且つバストを中央に寄せる補正力を持たせるハード性又は厚みを有するバストアンダーサイド部分１１Ａ、１２Ａと、前記移動した乳頭部をより美しいライン（隆起）として表現する補正力を持たせるセミハード性又は厚みを有する部分１１Ｂ、１２Ｂと、更に人体のセンター上部に移動する乳房容積の移動を妨げず且つ美しいチェストラインを構成するソフト又は厚みの薄い部分１１Ｃ、１２Ｃとを有するようになっている。
【００４２】
上記実施の形態２によれば、フレーム体１１、１２の最も圧縮した部分１１Ａ、１２Ａと、製品のバストを寄せ、引き上げるのに必要な能力を備えた部分ｌｌＢ、１２Ｂとが連動して構成されることにより、製品としてのバストを引き寄せ、引き上げる効果を高める利点がある。
【００４３】
その他の構成及び作用は、前記実施の形態ｌと同様であるので、その説明を省略する。
【００４４】
実施の形態３
図ｌ０はこの発明の実施の形態３を示すものであり、前記実施の形態ｌと同一の部分には同一の符号を付して説明すると、この実施の形態３では、女性用衣料の膨出部を構成する表面側及び裏面側の素材が、モールド成形によって所定の膨出形状に形成され、前記裏面側の素材にファンデーション機能を付与するとともに、前記表面側の素材にファッション性を付与するように構成されている。
【００４５】
また、この実施の形態では、前記女性用衣料の裏面側の素材は、縫着線が表面に現れないように、表面側の素材と縫着されるように構成されている。
【００４６】
さらに、この実施の形態では、女性用衣料の裏面側の素材ぽ、パッド状の部材からなり、当該パッド状部材の表面側に、必要に応じて、補正機能を持たせたワイヤーボーンが装着されるように構成されている。
【００４７】
また更に、この実施の形態では、前記女性用衣料の表面側の素材は、裏面側の素材に対して略相似形状ではなく、膨出部の輸郭形状が滑らかな曲線を形成するように成形されている。
【００４８】
すなわち、上記ブラジャーｌの左右のカップ部２、３は、それぞれ同一の構成を有しているが、ここでは、一方のカップ部２を例にして説明する。
【００４９】
上記ブラジャーｌのバストカップ部２には、図２に示すように、当該カップ部２の表面側及び裏面側を横成する素材８、９と、このカップ部２と一体的に形成された身頃部４を構成する素材３０として、ポリエステル、ナイロン、アセテート等の熱成形性を有する布状片を、所定の形状に裁断（カット）したものが用いられている。なお、上記カップ部２の表面側を構成する素材３０は、原則として、成形性並びにフィット性を考慮して選択されるが、これらの条件を満たすものであれば、特に限定されない。
【００５０】
上記カップ部２の表面側及ぴ裏面側を構成する素材８、９は、裏面側の素材９が、女性のバスト形状に応じた形状に裁断（カット）されているのに対して、表面側の素材８は、裏面側の素材９に対して略相似形状ではなく、カップ部２の身頃部４との境目に位置する輸郭形状が滑らかな曲線を形成するように裁断（カット）されている。その結果、上記カップ部２の表面側を構成する素材８は、特に、カップ部２の下端部近傍の形状が、裏面側を構成する素材９よりもある程度大きくなるように形成するのが望ましい。
【００５１】
また、上記の如く所定の形状に裁断されたカップ部２の表面側及び裏面側を構成する素材８、９は、図１０及び図ｌ１に示すように、それぞれ異なる形状のモールド金型３０、３１を用いて、加熱加圧成形されている。上記カップ部２の裏面側を構成する素材９は、図１０に示すように、バスト部の輸郭を明碓に仕上げるため、カップ部２の輸享郭部３０ａ’、３０ｂ’が明碓な角部を形成したモールド金型３０ａ、３０ｂを用いて、加熱加圧成形される。一方、上記カップ部２の表面側を構成する素材８は、図ｌｌに示すように、バスト部の輸郭形状に滑らかな曲線を形成するため、カップ部２の輪享郭部３１ａ’、３１ｂ’が湾曲した曲面を形成したモールド全型３１ａ、３１ｂを用いて、加熱加圧成形されるようになっている。
【００５２】
なお、上記カップ部２の表面側及び裏面側を構成する素材８、９の特性としては、前者が表面側素材８の特性×後者が裏面側素材９の特性とすると、＜ファッション素材×機能素材＞＜ソフト素材×ハード素材＞＜高伸縮率×低伸縮率＞＜非またはセミ造形性×造形性＞＜シーム無し×シーム有り＞＜ランジェリー及びアウター機能×ファンデーション機能＞＜ｌ−２パターン×複数パターン＞等が考えられる。
【００５３】
従って、上記カップ部２の表面側を構成する素材８は、必ずしもモールドプレス加工を施さなくても、プリーツのように伸びるテクニック素材や、ストッキングのように超伸縮率の高い素材により形成することもできる。
【００５４】
そして、上記の如く所定の形状にモールド成形されたカップ部２の表面側及び裏面側を構成する素材８、９は、図２に示すように、その上端縁部及び下端縁部が縫着されるが、その際、縫着線が表面に現れないように、互いに縫着されるように構成されている。また、このとき、上記カップ部２の表面側を構成する素材６は、バスト部の輪郭形状が滑らかな曲線を形成するように加熱加圧成形されているので、当該カップ部２の表面側を構成する素材８の下端部や側面部近傍は、裏面側を構成する素材７との間に、間隙Ｇが形成される。
【００５５】
ここで、縫着線が表面に現れないような縫い方としては、例えば、表裏を重ね合わせ縫いした後、表裏を反転する袋縫いや、一辺を袋縫いにし、他の一辺を纏り縫いとするもの、あるいは上縁を袋縫いにし、下縁を本縫い等によるアウター的仕上げをする、更には縁を装飾性を兼ねたテープ（加ヘテープ）等により仕上げる、また更には共地やサテン地等のバイヤス地にて玉縫いとする方法などがある。
【００５６】
また、上記カップ部２の表面側及び裏面側を構成する素材８、９の間に、乳房パッド１０を介在させる場合には、図２に示すように、表面側の素材８の端縁８ａを裏面側の素材９側へ二重に析り返し、当該二重に析り返された表面側の素材８と、裏面側の素材９と、乳房パッド１０の上端縁部及び下端縁部が、縫着線３２が表面に現れないように、互いに縫着される。なお、上記カップ部２の上端縁部及び下端縁部の縫着方法としては、加へ方式や玉縁方式としても良い。ここで、加へ方式とは、所定の幅の生地の編み立て又は織りの設計を、当初から双股に織って使用することを前提にテープ状化し、これを双股に織って縫着時に製品の縁をカバーするものである。ブラジャー等の機能を失わないためには、ストレッチ性を有することが望ましい。また、アウターとしての機能を高めるためには、サテン地等、装飾性とステッチが目立たない配慮が望ましい。
【００５７】
なお、上記カップ部２の表面側及び裏面側を構成する素材８、９や、乳房パッド１０を、モールド金型を用いて加熱加圧成形する際には、図１２に示すように、人体骨格に適含する三次元の湾曲形状とするのが好ましい。更に説明すると、上記カップ部２の表面側及び裏面側を構成する素材８、９や、乳房パッド１０は、人体の胸部にフィットするように、三次元的な湾曲形状に形成されており、バストの両サイドに位置する部分が、人体の胸部の側面に沿うように湾曲した形状となっているとともに、カップ部２の下端縁部の一部３３が、人体の胸部の断面形状に沿うように、上方に窪んだ湾曲した形状に形成されている。
【００５８】
このように、女性用衣料としてのブラジャーｌの裏面側に、ワイヤーボーン等が露出することなく、肌当たりが良好で、着用感に優れているとともに、バイヤステープやワイヤーボーン２２を縫着するための縫い糸３２が、バストカップ部２、３の表面に現れたり、バストカップ部２、３の輸郭が不本意に強調されてしまうことがなく、外観やファッション性に優れ、アウターとしての着用に適した女性用衣料としてのプラジャーを提供することができる。
【００５９】
その他の構成及び作用は、前記実施の形態ｌと同様であるので、その説明を省略する。
【００６０】
実施の形態４
図１３はこの発明の実施の形態４を示すものであり、この実施の形態４では、女性用衣料として、ガードルに適用した場合を示すものである。
【００６１】
すなわち、この実施の形態４に係る人体骨格に有機的に対応する女性用衣料としてのガードル４０は、パワーネット等の伸縮性生地を用いて縫製されている。上記ガードル４０は、左身頃部４１と右身頃部４２を主体として後部のバックセンター４３にて縫合され筒状体を形成するとともに、当該左身頃部４１と右身頃部４２の下端部を、内股で筒状に縫着して脚部が形成されている。
【００６２】
ところで、この実施の形態に係るガードル４０は、図１３に示すように、人体骨格５の腰部断面形状４４の体側部を覆うフレーム体４５、４６を備えている。このフレーム体４５、４６としては、図１３に示すように、女性の腰部断面形状４４の体側部から、ヒップの体側部側に掛けての全体を、パワーやストレッチが弱いか、又は薄手の素材４７で覆い、次にくその内側を、パワーやストレッチがやや弱いか、又はやや薄手の素材４８で覆い、更にその内側を、パワーやストレッチが強いか、又は厚手の素材４９で覆うように構成されている。
【００６３】
さらに、この実施の形態に係るガードル４０は、図１３に示すように、人体骨格５の腰部断面形状４４の下腹部を覆うフレーム体５０を備えている。このフレーム体５０も、上記フレーム体４５、４６と同様に、３層に構成されている。
【００６４】
なお、上記ガードル４０には、図１３に示すように、左右の両ヒップ部５１、５２の下方に、当該両ヒップ部５１、５２を支持し、ヒップアップを可能とする準フレーム体５３、５４を設けるように構成しても良い。この場合、上記準フレーム体５３、５４は、ガードル４０を構成する身頃体によって上方に引張られるように配設される。
【００６５】
また、図１４は、実施の形態４の変形例を示すものであり、この図１４に示す実施の形態に係るガードル４０では、人体骨格５の腰部断面形状４４の下腹部を覆うフレーム体５０のみを備えるように構成されている。なお、この場合でも、左右の両ヒップ部５１、５２の下方に準フレーム体５３、５４を設けるように構成してもよい。
【００６６】
このように、ガードル４０には、図１３に示すように、人体骨格５の腰部断面形状４４の体側部を覆うフレーム体４５、４６などを設けることにより、図１５に示すような人体骨格の腰部断面形状の厚さｂよりも幅ａの方が大きなヤング又は標準体形の場含に、人体骨格５の腰部断面形状４４を引き締めて、幅ａを小さく見せて、全体的にスリムな体形を創出する場合に、特に効果的である。
【００６７】
また、上記ガ一ドル４０には、図１４に示すように、人体骨格５の腰部断面形状４４の下腹部を覆うフレーム体５０を設けることにより、図１６に示すような人体骨格の腰部断面形状の幅ａよりも厚さｂの方が大きなミセス又は肥満性体形の場合に、人体骨格５の腰部断面形状４４の特に下腹部をフレーム体５０によって引き締めて、下腹部の膨出を押さえて厚さｂを小さく見せて、全体的に若々しい体形を創出する場合に、特に効果的である。
【００６８】
【発明の効果】
以上詳細に説明したように、この発明によれば、バスト寄せ効果を高めるなどして、女性用衣料の補整効果を十分発揮することが可能な人体骨格に有機的に対応する女性用衣料を提供することができる。
【図面の簡単な説明】
【図１】図１はこの発明の実施の形態１に係る人体骨格に有機的に対応する女性用衣料としてのブラジャーを示す構成図である。
【図２】図２はこの発明の実施の形態１に係る人体骨格に有機的に対応する女性用衣料としてのブラジャーのカップ部を示す構成図である。
【図３】図３はこの発明の実施の形態１に係る人体骨格に有機的に対応する女性用衣料としてのブラジャーの要部を示す構成図である。
【図４】図４はこの発明の実施の形態１に係る人体骨格に有機的に対応する女性用衣料としてのブラジャーの要部を示す構成図である。
【図５】図５はこの発明の実施の形態１に係る人体骨格に有機的に対応する女性用衣料としてのブラジャーの要部を示す構成図である。
【図６】図６はこの発明の実施の形態１に係る人体骨格に有機的に対応する女性用衣料としてのブラジャーの作用を示す説明図である。
【図７】図７はこの発明の実施の形態１に係る人体骨格に有機的に対応する女性用衣料としてのブラジャーの変形例を示す構成図である。
【図８】図８はこの発明の実施の形態１に係る人体骨格に有機的に対応する女性用衣料としてのブラジャーの変形例を示す構成図である。
【図９】図９はこの発明の実施の形態２に係る人体骨格に有機的に対応する女性用衣料としてのブラジャーを示す構成図である。
【図１０】図１０はこの発明の実施の形態３に係る人体骨格に有機的に対応する女性用衣料としてのブラジャーの製造工程を示す構成図である。
【図１１】図１１はこの発明の実施の形態３に係る人体骨格に有機的に対応する女性用衣料としてのブラジャーの製造工程を示す構成図である。
【図１２】図１２はこの発明の実施の形態３に係る人体骨格に有機的に対応する女性用衣料としてのブラジャーの作用を示す説明図である。
【図１３】図１３はこの発明の実施の形態４に係る人体骨格に有機的に対応する女性用衣料としてのガードルを示す説明図である。
【図１４】図１４はこの発明の実施の形態４に係る人体骨格に有機的に対応する女性用衣料としてのガードルの変形例を示す説明図である。
【図１５】図１５は人体骨格を示す説明図である。
【図１６】図１６は人体骨格を示す説明図である。
【図１７】図１７は従来の女性用衣料を示す説明図である。
【図１８】図１８は従来の女性用衣料を示す説明図である。
【図１９】図１９はこの発明の実施の形態１に係る人体骨格に有機的に対応する女性用衣料としてのブラジャーの要部を示す構成図である。
【図２０】図２０はこの発明の実施の形態１に係る人体骨格に有機的に対応する女性用衣料としてのブラジャーの要部を示す構成図である。
【図２１】図２１はこの発明の実施の形態１に係る人体骨格に有機的に対応する女性用衣料としてのブラジャーの要部を示す構成図である。
【符号の説明】
１：ブラジャー（女性用衣料）、２、３：左右のバストカップ部、４：身頃体、１１、１２：左右のフレーム体。
【図１】
2004115947.tif 000003
【図２】
2004115947.tif 000004
【図３】
2004115947.tif 000005
【図４】
2004115947.tif 000006
【図５】
2004115947.tif 000007
【図６】
2004115947.tif 000008
【図７】
2004115947.tif 000009
【図８】
2004115947.tif 000010
【図９】
2004115947.tif 000011
【図１０】
2004115947.tif 000012
【図１１】
2004115947.tif 000013
【図１２】
2004115947.tif 000014
【図１３】
2004115947.tif 000015
【図１４】
2004115947.tif 000016
【図１５】
2004115947.tif 000017
【図１６】
2004115947.tif 000018
【図１７】
2004115947.tif 000019
【図１８】
2004115947.tif 000020
【図１９】
2004115947.tif 000021
【図２０】
2004115947.tif 000022
【図２１】
2004115947.tif 000023